(57)【要約】シェービング装置において、キャプ部を有するシェービングヘッドと、予防手段を有するシェービング複合物を具備している。シェービングの間、予防手段の少なくとも一部分はシェービング複合物から皮膚に塗布される。予防手段は皮膚を紫外線より保護するため光防護剤であることが望ましい。
2006509589.tif 000002
【特許請求の範囲】
【請求項１】
キャップ部を含むシェービングヘッドと、
シェービングヘッドに連結し、刃先がキャップ部に対し縦方向に伸長し且つほぼ平行となる少なくとも一つの刃と、
キャップ部に連結し皮膚との接触面を定義し、予防手段を含むシェービング複合物と
シェービング操作の間、ユーザの皮膚との接触時に、少なくもともその一部分がユーザの皮膚に塗布される予防手段と、
を具備するシェービング装置。
【請求項２】
刃先と接触面がほぼ一直線となる、請求項１記載のシェービング装置。
【請求項３】
予防手段が水溶性である、請求項１記載のシェービング装置。
【請求項４】
予防手段が光防護剤である、請求項３記載のシェービング装置。
【請求項５】
予防手段が光防護剤である、請求項１記載のシェービング装置。
【請求項６】
シェービング複合物を有するシェービング装置上に予防手段を取り込む方法であって、水溶性の予防手段をシェービング複合物に取り込むことを特徴とする方法。
【請求項７】
予防手段が光防護剤である、請求項６記載の方法。
【請求項８】
予防手段の取り込みがシェービング複合物上に予防手段を堆積することにより遂行する、請求項６記載の方法。
【請求項９】
予防手段の取り込みが予防手段をシェービング複合物内に堆積することにより遂行する、請求項６記載の方法。
【請求項１０】
予防手段を取り込むステップの前に、キャップ部を含むシェービングヘッドと、シェービングヘッドに連結し刃先がキャップ部に対し縦方向に伸長し且つほぼ平行となる少なくとも一つの刃と  キャップ部に連結し皮膚との接触面を定義するシェービング複合物を提供するさらなるステップを含む、請求項６記載の方法。
【発明の詳細な説明】
【技術分野】
【０００１】
関連出願の相互参照
本願は、２００２年１２月１３日に出願された米国仮特許出願６０／４３３，４００に開示された本質的な内容は参照によって本明細書に組み込まれる。
【０００２】
発明の分野
本発明は一般的にシェービング装置に係り、特に予防手段を有するシェービング複合物を備えた、剃刀、剃刀カートリッジなどのシェービング装置に関する。
【背景技術】
【０００３】
太陽光にさらすといった紫外線をあびる行為が、皮膚に損傷を及ぼす原因となることは良く知られている。そのような損傷の例として、日光のあたりすぎによる日光皮膚炎がある。日光のあたりすぎは皮膚癌の発症の要因となり、黒色腫については致命的になる場合がある。他の有害作用として、皮膚の早期老化、前がん症状の成長の促進、基底細胞皮膚癌又は扁平上皮細胞癌といった非黒色腫皮膚癌の増殖が含まれる。
【０００４】
予防手段は紫外線の照射による皮膚損傷を回避するために開発された。予防手段は、症状を治療する医療品とは異なり、予防することを試みている。したがって、ここで用いられている“予防手段”は、次のような意味を持たせている。紫外線の照射から防御する予防手段は、日焼け止めローション及びサンスクリーンといった一般的な用語でよく知られており、ローション、ジェル、クリームなどの複数の形状からなる。
【０００５】
一般的に、予防手段を塗ることは多少厄介であり、例えば、夏の日の海辺といった日光を過剰にあびることが予想されるときに使用される。このような状況においては、日焼けローションなどの予防手段が、衣服又は手につくことを気にする必要がない。一方では、通常の勤務状況においては、外見を気にかける必要があり、水っぽい予防手段を塗ることは好ましくない。しかしながら、人々は大量の紫外線にさらすこととなる。そこで、上述した不都合を感じることなく、定期的に紫外線を予防する装置が必要である。
【発明の開示】
【発明が解決しようとする課題】
【０００６】
以上の点に鑑みて、本発明の一般的目的は、従来技術に付随した問題点及び欠点を解決する予防手段を適用した装置を提供することである。
【課題を解決するための手段】
【０００７】
本発明は、一態様において、キャップ部を含むシェービングヘッドを有するシェービング装置にある。少なくとも一つの刃がシェービングヘッドに連結し、刃先がキャップ部に対し縦方向に伸長し且つほぼ平行となるよう定義している。シェービング複合物はキャップ部と連結し、皮膚との接触面の外側に向くように定義される。シェービング複合物は予防手段を含み、シェービング操作の間、予防手段の少なくとも一部分を、ユーザの皮膚に塗布する。
【０００８】
好ましくは、シェービング複合物はコンフォートストリップの形状であり、皮膚の剃り面に予防手段を局所的に塗布する。コンフォートストリップの外側の面は、予防手段がその中又はその上に組み込まれている水溶性のフェーズを含む。この実施例では、コンフォートストリップは湿式剃刀に装着され、ウェットシェイプ過程において予防手段を皮膚に直接塗布することが可能である。本発明の好適な実施例において、コンフォートストリップは光防護剤を含み、シェービング動作の間、光防護剤の少なくとも一部がユーザの皮膚に付着する。光防護剤は、コンフォートストリップに使用されている多数の構成要素の中から一つ構成要素とすることできる。例えば、潤滑財、ローションなどの光防護剤と組合せることができる形態等。
【０００９】
シェービング装置は、カートリッジとハンドルが連結し統合されたものを含めた使い捨て剃刀カートリッジ又は使い捨て剃刀の形態をなすことができる。剃刀カートリッジにおいては、剃刀の接触面とコンフォートストリップの表面とが一直線上をなし、剃刀カートリッジの標準的な操作上の位置において、接触面及びコンフォートストリップが同時に皮膚に接触する。これにより、シェービングの間、光防護剤が塗布される。
【発明を実施するための最良の形態】
【００１０】
図１に示すように、シェービング装置は、一般的に参照番号１０で参照され、キャップ部１４を有するシェービングヘッド１２を含む使い捨て剃刀カートリッジの形態をなしている。剃刀１６はシェービングヘッドに装着され、縦方向に伸長し、キャップ部にほぼ平行である接触面１８を定義する。コンフォートストリップ２０はキャップ部１４上に予防手段２１と共に配置され、好ましい実施例においては光防護剤が堆積されている。
【００１１】
図２に示すように、コンフォートストリップ２０は外側に向く面２２を有し、刃先１８に対し一直線上に配置される。これにより、剃刀カートリッジ１０は、皮膚に対し通常の操作上の位置関係となり、外側に向く面２２が皮膚上に滑ると同時に刃先１８が髭を剃る（図示せず）。ただし、本発明はこの点において、限定されることなく、任意の位置に配置することができる。
【００１２】
本発明の好適な実施例において、コンフォートストリップ２０はウェットシェーブ剃刀と共に使用される剃刀カートリッジ１０に装着されている。ウェットシェーブの用語は、一般にシェービングクリームと水を用いる剃刀を意味する。コンフォートストリップ２０は、キャリア層にポリエチレン・オキシドなどの水溶性の材質を含む、外側に向く面２２を形成する。キャリア層は、ポリスチレン、ポリプロピレン、又は他の適切なポリマーなどの不水溶性のフェーズによって支持されている。ただし、本発明は、水溶性の材質が不水溶性のフェーズ内に配置できるので、不水溶性上のキャリア層に限定されることない。コンフォートストリップ２０を構成する材質は、コンフォートストリップ２０が押し出し、成形などの適切な塑性加工プロセスにより形成するように選択するのが望ましい。
【００１３】
キャリア層は、ウェットシェービング環境において、コンフォートストリップ２０から溶解する成分を含み、予防手段を含むその成分はユーザの皮膚に塗布される。したがって、前述の予防手段２１は、本発明の好適な実施例において、皮膚に対する紫外線の影響を減少する光防護剤である。
【００１４】
本発明は特定の好ましい形態を参照してかなり詳細に説明されているが、その他の形態が考えられる。特に、一枚の刃及び一つのコンフォートストリップしか示していないが、その個々の又は双方の複数形は、本発明の精神及び範囲にて考慮されている。したがって、添付された特許請求の精神及び範囲は本明細書に記載された好ましい形態の説明に限定されるべきではない。  
【図面の簡単な説明】
【００１５】
【図１】本発明の剃刀カートリッジの斜視図である。
【図２】図１の２−２線に沿った断面図である。
【図１】
2006509589.tif 000003
【図２】
2006509589.tif 000004
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
キャップ部（１４）を含むシェービングヘッド（１２）と、
シェービングヘッド（１２）に連結し、刃先（１８）がキャップ部（１４）に対し縦方向に伸長し且つほぼ平行となる少なくとも一つの刃（１６）と、
キャップ部（１４）に連結し皮膚との接触面（２２）を定義し、予防手段（２１）を含むシェービング複合物（２０）と、
シェービング操作の間、ユーザの皮膚との接触時に、少なくもともその一部分がユーザの皮膚に塗布される予防手段（２1）と、
を具備するシェービング装置（１０）。
【請求項２】
刃先（１８）と皮膚との接触面（２２）がほぼ一直線となる、請求項１記載のシェービング装置（１０）。
【請求項３】
予防手段（２１）が水溶性フェーズ内に含まれる請求項１記載のシェービング装置（１０）。
【請求項４】
予防手段（２１）が光防護剤である、請求項３記載のシェービング装置（１０）。
【請求項５】
予防手段（２１）が光防護剤である、請求項１記載のシェービング装置（１０）。
【請求項６】
請求項１記載のシェービング装置（１０）上に予防手段を取り込む方法であって、水溶性フェーズと共に浸出する予防手段（２１）をシェービング複合物（２０）に取り込むことを特徴とする方法。
【請求項７】
予防手段（２１）が光防護剤である、請求項６記載の方法。
【請求項８】
予防手段（２１）の取り込みがシェービング複合物（２０）上に予防手段（２１）を堆積することにより遂行する、請求項６記載の方法。
【請求項９】
予防手段（２１）の取り込みが予防手段（２１）をシェービング複合物（２０）内に設置することにより遂行する、請求項６記載の方法。
【手続補正２】
【補正対象書類名】明細書
【補正対象項目名】０００１
【補正方法】削除
【補正の内容】
【国際調査報告】
2006509589.tif 000005
2006509589.tif 000006